(57)【要約】【課題】  本発明は、建物などの壁面に植物を植え込む為の基盤である。植え付け及び交換作業に時間と手間が簡略化できる基盤とその基盤の軽量化を提供する。【解決手段】  プラスティック素材からなる基盤板（１）に複数の筒状の植物を入れるためのポケット（２）を設ける。筒状のポケット（２）は傾斜を設け、筒状ポケット後部に排水させるための網目からなる排水孔（３）を設ける。【選択図】図１
2006020621.tif 000002
【特許請求の範囲】
【請求項１】
筒状のポケット（２）の開口部の一方を基盤体（１）に固定し、基盤体（１）には固定したポケット部分に筒状のポケット（２）と同形の開口部を設け、筒状のポケット（２）のもう一方の開口部は排水させるための網目からなる排水孔（３）を設ける。次に栽培用ポットから取り出した植物の土壌部分を保水性のあるシート（４）で巻き、筒状のポケット（２）に開口部（６）より挿入することを特徴とする壁面緑化方法。
【請求項２】
筒状のポケット（２）が複数連続して固定した請求項１記載の壁面緑化基盤
【請求項３】
筒状のポケット（９）の開口部の一方をシート状の基盤（１０）に固定し、もう一方を透水性のあるシート状の基盤（１１）に固定し、基盤体（１０）には固定した筒状のポケット（１２）と同形の開口部を設け、次に栽培用ポットから取り出した植物の土壌部分を保水性のあるシート（４）で巻き、筒状のポケット（９）に開口部（１２）より挿入することを特徴とする壁面緑化方法。
【請求項４】
筒状のポケット（９）が複数連続して固定した請求項２記載の壁面緑化基盤
【請求項５】
帯状のシートでハニカム状にしたものを垂直に立て、左右に広げて配置し開口部を設ける。次に開口部の寸法にあわせたブロック型のロックウールの中心部に植物を設置する穴を設け、植物を穴に設置する。複数の植物を設置したロックウールを複数の開口部へはめ込むことを特徴とする壁面緑化方法。
【発明の詳細な説明】
【技術分野】
【０００１】  本発明は、壁面に植物を設置するための軽量化した基盤装置であって、利用者自身が簡易に植物の取付けや交換ができる壁面緑化のユニット式基盤。
【背景技術】
【０００２】  従来、壁面に植物を設置する場合には、培地部分となるブロック型の基盤や用土を横長の袋体に混入した基盤にあらかじめ植物を植えつけたものを現場にて設置する。又は、植物が植えられる培地を設置して現場で植えつけている。
【発明が解決しようとする課題】
【０００３】  上記の技術によれば、培地部分に植物の根茎部分を植え付け又は埋め込む作業に時間と労力がかかる。又、用土を入れた培地部分は重量がかさみ、これを支える支持基盤が大掛かりなものになる事や初期の植え付け作業や、植物が枯れた場合や再度アレンジする場合の交換作業に労力がかかる。
本発明は、以上の問題を解決し初期の植え付け作業や植物の交換作業が簡易に行えることを課題とする。
【課題を解決するための手段】
【０００４】  プラスティック素材からなる基盤板（１）に複数の筒状の植物を入れるためのポケット（２）を設ける。筒状のポケット（２）は傾斜を設け、筒状ポケット後部に排水させるための網目からなる排水孔（３）を設ける。
【０００５】  たとえばホームセンターなどで販売されているポット入りの植物（Ｆ１）をポットより取り出し、その培地部分を保水性のあるシート（４）で巻いた状態にし、その巻いた部分の直径および深さと同形の筒状のポケット（２）を設ける。
【０００６】  上記説明の筒状のポケット（２）が複数個設けた基盤全体（Ｋ）を壁面に設置し、保水性のあるシートで巻いた状態の植物（５）を複数個組み立て、複数個の筒状のポケット（２）に挿入する。
【発明の効果】
【０００７】  本発明は、以上の構成よりなる壁面緑化用基盤の軽量化と簡易に植物の植え込みや交換が可能な壁面緑化の基盤である。
【発明を実施するための最良の形態】
【０００８】（イ）プラスティック素材からなる基盤板（１）に複数の筒状の植物を入れるためのポケット（２）を設ける。又、筒状のポケット（２）は傾斜を設け、筒状ポケット後部に排水させるための網目からなる排水孔（３）を設けることにより培地の乾燥を遅らせ、適度な排水も備えることができる。又、壁面緑化をする為の基盤（Ｋ）自体に用土が含まれないため軽量であり基盤の取り付けが容易に行え、さらに植物の設置も容易に行える。
（ロ）筒状のポケット（２）の寸法に関して、たとえばホームセンターなどで販売されているポット栽培された植物（Ｆ１）をポットより取り出し、そのポットの形状の培地部分を保水性のあるシート（４）で巻いた状態にし、その巻いた部分（５）がしっかり固定してはめ込める寸法を設ける。これにより栽培状態の用土以外の用土を追加せず、保水性のある不織布やスポンジやロックウールを使用するため全体を軽量にすることが可能で、かつ植え付けや交換が短時間且つ容易に行える。
（ハ）上記説明の筒状のポケット（２）が複数個設けた基盤（Ｋ）を壁面に設置し、保水性のあるシートで巻いた状態（５）の植物を複数個組み立て、複数個の開口部（６）に挿入する。本発明の植え付け作業は、従来の穴を掘る作業、設置している基盤を一度降ろす作業、用土を補充する作業が省かれる。設置および撤去が容易に行える利点から一定期間開催のイベントに向いている。
（ニ）灌水ホース（７）を筒状のポケット（２）の上部に連結させるように設置し、灌水ホース（７）から細い灌水ホース（８）を筒状のポケット（２）の上部に差込む。灌水することにより植物に巻いた保水性のあるシート（４）に保水され乾燥を防ぐ。灌水ホース（７）にはタイマー式自動灌水機を取り付け一定時間で必要量の灌水を自動的に行える。
【他の実施形態】
【０００９】  図１の実施形態では、筒状のポケット（２）が基盤板（１）に固定しているが、他の実施形態では、図７において、筒状のポケット（９）をシート状の基盤体（１０）と透水性シートからなる基盤体（１１）で挟み込むように固定する。筒状のポケット（９）を取り付けた部分の基盤体（１０）にはポケットの開口部に合わせた開口（１２）を設ける。開口（１２）に植物（Ｆ１）を設置するものでも良い。
【００１０】  図９において、帯状の透水性シートをハニカム状（１３）にし、広げた状態で筒状のポケット（１４）を設ける。筒状のポケット（１４）の内径と同じサイズのブロック状のロックウール（１５）に植物（Ｆ４）を挿入できる開口部（１６）を設け、この開口部（１６）に植物（Ｆ１）を設置したものを筒状のポケット（１４）に設置するものでも良い。
【図面の簡単な説明】
【００１１】
【図１】本発明の一実施形態を示す斜視図
【図２】本発明の後方から見た斜視図
【図３】本発明の要部拡大を示す断面図
【図４】本発明へ装着する植物を示す斜視図
【図５】本発明の要部拡大を示す断面図
【図６】本発明の実施形態を示す断面図
【図７】本発明の一実施形態を示す斜視図
【図８】本発明の要部拡大を示す断面図
【図９】本発明の一実施形態を示す斜視図
【符号の説明】
【００１２】（１）基盤板、（２）筒状のポケット、（３）排水孔、（４）保水性のあるシート、
（５）植物の根部を保水性のあるシートで巻いた部分、（６）開口部、
（７）灌水ホース、（８）細い灌水ホース、（９）筒状のポケット、
（１０）シート状の基盤体、（１１）透水性シートの基盤体、
（１２）開口部、（１３）透水性シート、（１４）筒状のポケット、
（１５）ブロック状のロックウール、（１６）ロックウールの開口部、
（Ｆ１）設置する植物、（Ｋ）基盤全体
【図１】
2006020621.tif 000003
【図２】
2006020621.tif 000004
【図３】
2006020621.tif 000005
【図４】
2006020621.tif 000006
【図５】
2006020621.tif 000007
【図６】
2006020621.tif 000008
【図７】
2006020621.tif 000009
【図８】
2006020621.tif 000010
【図９】
2006020621.tif 000011